(57)【要約】      （修正有）【課題】コンピュータ筐体の標準３．５インチベイに設置可能な、利便性の高いコンピュータデータ読取装置の提供。 【解決手段】該読取装置がフレーム、ボード、スライド部材及び底板を含んで成り、該フレーム底面に底パネルを設置し、該底パネルは底面に軸設されたアームを備え、該アームの一端が、該底パネルの穿通孔と、フレームの穿通孔、スライド部材の穿通孔に穿通されて伸出され、該底板に連続して設けた押し棒を押すと、該底板が押されて該底パネルの底面で移動し、該アームを動かしてさらに該スライド部材前端に設けた支持部を押し、該フレームに設けた鉤部とスライド部材に設けたフック間を連結する弾性部品の牽引力と、該ボード底面に設けた油圧歯車組の衰減を利用して、該読取ユニットが平滑に送り出されることを特徴とする。【選択図】図３
0003110018.tif 000002
【実用新案登録請求の範囲】
【請求項１】
読取装置と読取ユニットを含み、該読取装置がコンピュータ筐体のベイに設置され、該読取ユニットのコネクタ部と接続されてコンピュータと双方向のデータ伝送を形成するコンピュータデータ読取装置であって、そのうち、該読取装置がフレーム、ボード、スライド部材及び底板を含んで成り、該フレームはコンピュータ筐体のベイ内に固定され、その前方にはパネルが組み込まれると共に、該フレーム前方底面に鉤部を設け、さらに底面に底パネルを設置し、該底パネルは底面に軸設されたアームを備え、該アームの一端が、該底パネルの穿通孔と、フレームの穿通孔、スライド部材の穿通孔に穿通されて伸出されると共に、該ボードはフレーム後方に固定され、且つ、該ボードとフレームを固定した後、スライド部材が位置決めされ滑動するスライド槽が形成され、さらに、該ボードの片側に該読取ユニットのコネクタ部に対応し挿入・接続される出入力ポートを設け、且つ、底面に油圧歯車組が固定され、該スライド部材は、ボードとフレームが形成するスライド槽に設置され、その前端に支持部と通孔を設け、さらに底面に該ボードの油圧歯車組に対応し相互に噛合う歯車槽を成型して形成し、且つ、後方底部にフックを下方向に延伸して設け、さらに、弾性部品により該フレームの鉤部と該フック間を連結すると共に、該底板はフレーム底面の底パネル底面に固定され、その前端に押し棒が連続して設置され、後方は該フレームの底パネル底面に設けたアームの一端に支持され、該押し棒を押すと該底板が押されて底パネルの底面で移動し、アームを動かしてさらに支持部を押し、且つ、弾性部品の牽引力と油圧歯車組の衰減を利用して、該読取ユニットが平滑に送り出されることを特徴とするコンピュータデータ読取装置。
【請求項２】
前記コンピュータ筐体のベイが標準の３．５インチベイである請求項１に記載のコンピュータデータ読取装置。
【請求項３】
前記フレーム内壁に弾性引掛け部材を成型して設け、該底板が該フレームの底パネル底面に嵌入され、且つ該弾性引掛け部材に対応する嵌合片を備え、該読取ユニットを押し入れて前記アームが軸回転され、該アームの一端が底板を外方向へ押すとき、該底板の嵌合片が該弾性引掛け部材を該読取ユニット両側に設けた凹み部へ嵌入させ、該読取ユニットを引掛けて位置決めし、反対に、押し棒を押して底板を後方へ移動させ、該弾性引掛け部材を該底板の嵌合片による制限から離脱させ、該弾性引掛け部材が外方向へ移動して該凹み部に対する引掛けが解除され、該アームの別の一端が支持部を押して読取ユニットが送り出される請求項１に記載のコンピュータデータ読取装置。
【請求項４】
前記底板の後端とフレーム底面の底パネル間に弾性部品を設けた請求項１に記載のコンピュータデータ読取装置。
【考案の詳細な説明】
【技術分野】
【０００１】
本考案は、コンピュータデータ読取装置に関し、詳細には、コンピュータとデジタル保存メディアの読み取りと書き込みを行う双方向の伝送技術領域に係り、読取装置の整合モジュール化により、効果的にその占用空間を減少し、コンピュータ筐体のベイ内に設置してよりよい接続モードと使用上の利便性を得ることが可能な、コンピュータデータ読取装置に関する。
【背景技術】
【０００２】
本考案の出願人による出願を経て特許を認められた第92206146号の特許案における読取装置１は、図１に示すように、座体１１、フレーム１２、ボード１３、スライド部材１４、蓋体１５及び外殻１６を含んで成り、そのうち、該座体１１はコンピュータ筐体のベイ内に設置され、その前方には制御パネル１０が設置されると共に、該フレーム１２は外側に押し棒１２２を備え、該押し棒１２２を押すとアーム１５１が動き、読取ユニット（図には未表示）が平滑に送り出されるものである。しかしながら、上述の構造は、該押し棒１２２がフレーム１２の外側に設置されており、該読取装置１が占用する空間と体積が大きくなってしまい、全体の製造及び成型コストが高くなるだけでなく、組み立てと使用上の利便性も低いため、改善の必要がある。
【考案の開示】
【考案が解決しようとする課題】
【０００３】
本考案の主な目的は、占用空間と体積を大幅に縮小し、効果的に製造と成型のコストを抑えることができるだけでなく、コンピュータ筐体の標準の３．５インチベイに設置することができ、使用上より利便性の高い、コンピュータデータ読取装置を提供することにある。
【０００４】
本考案の別の目的は、コンピュータ筐体の標準の３．５インチベイに設置できるだけでなく、DVDプレイヤやデジタルカメラ、その他デジタル製品に幅広く応用し、データへのアクセスと双方向の伝送を行うことができる、コンピュータデータ読取装置を提供することにある。
【課題を解決するための手段】
【０００５】
本考案のコンピュータデータ読取装置は、主に読取装置と読取ユニットを含み、該読取装置がコンピュータ筐体のベイに設置され、該読取ユニットのコネクタ部と接続されてコンピュータと双方向のデータ伝送を形成し、そのうち、該読取装置がフレーム、ボード、スライド部材及び底板を含んで成り、該フレームはコンピュータ筐体のベイ内に固定され、その前方にはパネルが組み込まれると共に、該フレーム前方底面に鉤部を設け、さらに底面に底パネルを設置し、該底パネルは底面に軸設されたアームを備え、該アームの一端が、該底パネルの穿通孔と、フレームの穿通孔、スライド部材の穿通孔に穿通されて伸出されると共に、該ボードはフレーム後方に固定され、且つ、該ボードとフレームを固定した後、スライド部材が位置決めされ滑動するスライド槽が形成され、さらに、該ボードの片側に該読取ユニットのコネクタ部に対応し挿入・接続される出入力ポートを設け、且つ、底面に油圧歯車組が固定され、該スライド部材は、ボードとフレームが形成するスライド槽に設置され、その前端に支持部と通孔を設け、さらに底面に該ボードの油圧歯車組に対応し相互に噛合う歯車槽を成型して形成し、且つ、後方底部にフックを下方向に延伸して設け、さらに、弾性部品により該フレームの鉤部と該フック間を連結すると共に、該底板はフレーム底面の底パネル底面に固定され、その前端に押し棒が連続して設置され、後方は該フレームの底パネル底面に設けたアームの一端に支持され、該押し棒を押すと該底板が押されて底パネルの底面で移動し、アームを動かしてさらに支持部を押し、且つ、弾性部品の牽引力と油圧歯車組の衰減を利用して、該読取ユニットが平滑に送り出されることを特徴とする。
【考案を実施するための最良の形態】
【０００６】
図２、図３に示すように、本考案のコンピュータデータ読取装置における該読取装置２は、コンピュータ筐体のベイ（図では３．５インチベイ）に設置することができ、読取ユニット４のコネクタ部４１と接続し、さらにコンピュータ３と双方向のデータ伝送を形成する。
【０００７】
次に、図４から図６に示すように、読取装置２は、底板２１、フレーム２２、ボード２３、スライド部材２４から構成され、該フレーム２２はコンピュータ筐体３のベイ内に固定され、その前方にはパネル２２０が組み込まれると共に、該フレーム２２は前方底面に鉤部２２１を備え、さらに底面に底パネル２２aが設置される。該底パネル２２aは底面にアーム２２２（図５−１参照）が軸設され、該アーム２２２の一端が、該底パネル２２aの穿通孔２２５と、フレーム２２の穿通孔２２３、スライド部材２４の穿通孔２４０に穿通されて伸出される。該ボード２３は、フレーム２２の後方に固定され、且つ、ボード２３とフレーム２２の固定後、スライド部材２４が位置決めされ滑動するスライド槽が形成される。さらに、該ボード２３の片側に読取ユニット４のコネクタ部４１に対応し接続される出入力ポート２３１が設置され、且つ、底面に油圧歯車組２３２が固定される。該スライド部材２４は、ボード２３とフレーム２２が形成するスライド槽に設置され、その前端に支持部２４１と通孔２４２を設置し、さらに底面にボード２３の油圧歯車組２３２に対応し相互に噛合う歯車槽２４３を成型して形成し、且つ、後方底部にフック２４４を下方向に延伸して設け、さらに、弾性部品２４５により該フレーム２２の鉤部２２１と該フック２４４間を連結する。該底板２１はフレーム２２底面の底パネル２２a底面に固定され、その前端に押し棒２１１が連続して設置され、後方は該フレーム２２の底パネル２２a底面に設けたアーム２２２の一端に支持され、且つ、底板２１後端とフレーム２２底面の底パネル２２a間に弾性部品２１２を設置し、押し棒２１１を押すと底板２１が押されて底パネル２２aの底面で移動し、アーム２２２を動かしてさらに支持部２４１を押し、且つ、弾性部品２４５の牽引力と油圧歯車組２３２の衰減を利用して、図７に示すように、読取ユニット４が平滑に送り出される。
【０００８】
図５から図７に示すように、フレーム２２の内壁に弾性引掛け部材２２４が設けられ、底板２１はフレーム２２の底パネル２２a底面に嵌入され、且つ、該弾性引掛け部材２２４に対応する嵌合片２１３を備え、読取ユニット４を押し入れ、アーム２２２を動かして軸回転させ、該アーム２２２の一端が底板２１を外方向へ押すとき、該底板２１の嵌合片２１３が弾性引掛け部材２２４を読取ユニット４両側に設けた凹み部４２に嵌入させ、図６に示すように、読取ユニット４が引っ掛かり位置決めされる。反対に、押し棒２２１を押して底板２１を後方へ移動させると、図７に示すように、弾性引掛け部材２２４が底板２１の嵌合片２１３による制限から離脱し、弾性引掛け部材２２４が外方向へ移動して凹み部４２に対する引掛けを解除し、アーム２２２の別の一端が支持部２４１を押して、読取ユニット４が送り出される。
【図面の簡単な説明】
【０００９】
【図１】第９２２０６１４６号特許案の内部構造を示す立体分解図である。
【図２】本考案をコンピュータ筐体のベイに設置した状態を示す立体斜視図である。
【図３】本考案の読取ユニットと読取装置の組み込みを示す立体斜視図である。
【図４】本考案の読取装置の主な構成部品を示す立体分解図である。
【図５】本考案の読取装置のフレームとボードの組み立てを示す立体分解図である。
【図５−１】本考案の読取装置の底パネルと底板の組み立てを示す立体分解図である。
【図６】本考案の読取ユニットを読取装置内に組み込んだ状態を示す平面透視図である。
【図７】本考案の読取ユニットを外方向へ押し出した状態を示す平面透視図である。
【符号の説明】
【００１０】
２        読取装置
２１      底板
２１１    押し棒
２１２    弾性部品
２１３    嵌合片
２２      フレーム
２２a     底パネル
２２１    鉤部
２２２    アーム
２２３    穿通孔
２２４    弾性引掛け部材
２２５    穿通孔
２３      ボード
２３１    出入力ポート
２３２    油圧歯車組
２４      スライド部材
２４０    穿通孔
２４１    支持部
２４２    通孔
２４３    歯車槽
２４４    フック
２４５    弾性部品
３        コンピュータ
４        読取ユニット
４１      コネクタ部
４２      凹み部
【図１】
0003110018.tif 000003
【図２】
0003110018.tif 000004
【図３】
0003110018.tif 000005
【図４】
0003110018.tif 000006
【図５】
0003110018.tif 000007
【図５−１】
0003110018.tif 000008
【図６】
0003110018.tif 000009
【図７】
0003110018.tif 000010